【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】情報の記録可能な情報担体であるＲＡＭディスク及びあらかじめ情報が記録されている再生専用の情報担体であるＲＯＭディスク上に光学的に情報の記録をするあるいは情報の再生をする光ディスク装置であって、
前記情報担体に光ビームを収束照射する収束手段と、
前記収束手段によって収束された光ビームの前記情報担体からの反射光あるいは、前記情報担体を透過した透過光を複数の受光部で受光する光検出手段と、
前記光検出手段の受光部からの出力を演算し、前記情報担体上の光ビームスポットとトラックとの位置ずれを示すトラックずれ信号を生成するトラックずれ信号検出手段と、
前記光検出手段の受光部から再生された情報に係る信号から、前記情報担体上の光ビームスポットがトラックからはずれたことを示すオフトラック信号を生成するオフトラック信号検出手段と、
前記光ビームスポットをトラックを横切る方向に移動する移動手段と、
前記トラックずれ信号に応じて前記移動手段を駆動し、前記光ビームスポットがトラック上を正しく走査するようにするトラッキング制御手段とを具備し、さらに
前記ＲＡＭディスクにおいては、前記トラックずれ信号の振幅のみから、前記ＲＯＭディスクにおいてはオフトラック信号を参照して、トラッキング制御状態を監視し、前記トラックずれ信号の振幅若しくはオフトラック信号の発生量からトラッキング制御を一時中断する機能を有したことを特徴とする光ディスク装置。
【請求項２】情報の記録可能な領域（ＲＡＭ領域）とあらかじめ情報が記録されている再生専用の領域（ＲＯＭ領域）によって構成された情報担体上に光学的に情報の記録をするあるいは情報の再生をする光ディスク装置であって、
前記情報担体に光ビームを収束照射する収束手段と、
前記収束手段によって収束された光ビームの前記情報担体からの反射光あるいは、前記情報担体を透過した透過光を複数の受光部で受光する光検出手段と、
前記光検出手段の受光部からの出力を演算し、前記情報担体上の光ビームスポットとトラックとの位置ずれを示すトラックずれ信号を生成するトラックずれ信号検出手段と、
前記光検出手段の受光部から再生された情報に係る信号から、前記情報担体上の光ビームスポットがトラックからはずれたことを示すオフトラック信号を生成するオフトラック信号検出手段と、
前記光ビームスポットをトラックを横切る方向に移動させる移動手段と、
前記トラックずれ信号に応じて前記移動手段を駆動し、前記光ビームスポットがトラック上を正しく走査するようにするトラッキング制御手段と、を備えており
光ビームが前記ＲＡＭ領域内で移動する場合には、前記トラックずれ信号の振幅のみから、前記ＲＯＭ領域内で移動する場合には前記オフトラック信号を参照して、トラッキング制御状態を監視し、前記トラックずれ信号の振幅若しくはオフトラック信号の発生量からトラッキング制御を一時中断する機能を有したことを特徴とする光ディスク装置。
【請求項３】情報の記録可能な情報担体であるＲＡＭディスク及びあらかじめ情報が記録されている再生専用の情報担体であるＲＯＭディスク上に光学的に情報の記録をするあるいは情報の再生をする光ディスク装置であって、
前記情報担体に光ビームを収束照射する収束手段と、
前記収束手段によって収束された光ビームの前記情報担体からの反射光あるいは、前記情報担体を透過した透過光を複数の受光部で受光する光検出手段と、
前記光検出手段の分割された受光部出力を演算し、前記情報担体上の光ビームスポットとトラックとの位置ずれを示すトラックずれ信号を生成するトラックずれ信号検出手段と、
前記光検出手段の分割された受光部出力から再生された情報に係る信号から、前記情報担体上の光ビームスポットがトラックからはずれたことを示すオフトラック信号を生成するオフトラック信号検出手段と、
前記光ビームスポットをトラックを横切る方向に移動させる移動手段と、
前記トラックずれ信号に応じて前記移動手段を駆動し、前記光ビームスポットがトラック上を正しく走査するようにするトラッキング制御手段と、を備えており、
前記ＲＡＭディスクにおいては、前記トラックずれ信号の振幅のみから、前記ＲＯＭディスクにおいてはオフトラック信号を参照して、トラッキング制御状態を監視し、前記トラックずれ信号の振幅若しくはオフトラック信号の発生量からトラッキング制御を一時中断する機能を有したことを特徴とする光ディスク装置。
【請求項４】情報の記録可能な領域（ＲＡＭ領域）とあらかじめ情報が記録されている再生専用の領域（ＲＯＭ領域）によって構成された情報担体上に光学的に情報の記録をするあるいは情報の再生をする光ディスク装置であって、
前記情報担体に光ビームを収束照射する収束手段と、
前記収束手段によって収束された光ビームの前記情報担体からの反射光あるいは、前記情報担体を透過した透過光を複数の受光部で受光する光検出手段と、
前記光検出手段の受光部から再生された情報に係る信号の出力を演算し、前記情報担体上の光ビームスポットとトラックとの位置ずれを示すトラックずれ信号を生成するトラックずれ信号検出手段と、
前記光検出手段の受光部からの出力を演算し、前記情報担体上の光ビームスポットがトラックからはずれたことを示すオフトラック信号を生成するオフトラック信号検出手段と、
前記光ビームスポットをトラックを横切る方向に移動する移動手段と、
前記トラックずれ信号に応じて前記移動手段を駆動し、前記光ビームスポットがトラック上を正しく走査するようにするトラッキング制御手段と、
前記トラックずれ信号の振幅のみから、前記ＲＯＭ領域内で移動する場合には前記オフトラック信号を参照して、トラッキング制御状態を監視し、前記トラックずれ信号の振幅若しくはオフトラック信号の発生量からトラッキング制御を一時中断する機能を有したことを特徴とする光ディスク装置。
【請求項５】情報の記録可能な領域（ＲＡＭ領域）とあらかじめ情報が記録されている再生専用の領域（ＲＯＭ領域）によって構成された情報担体であるパーシャルＲＯＭディスクと、情報の記録可能な情報担体であるＲＡＭディスクとあらかじめ情報が記録されている再生専用の情報担体であるＲＯＭディスク上に光学的に情報の記録をするあるいは情報の再生をする光ディスク装置であって、
移動手段に流す駆動電流の積分値が所定量を超えたとき、トラッキング制御を中断させる機能をさらに備えたことを特徴とする請求項１または２記載の光ディスク装置。
【請求項６】前記トラックずれ信号の振幅の積分値が所定のしきい値を超えたことを検出し、トラッキング動作を中断させることを特徴とする請求項３または４記載の光ディスク装置。
【手続補正２】
【補正対象書類名】明細書
【補正対象項目名】０００９
【補正方法】変更
【補正の内容】
【０００９】
この位相差トラッキングエラー信号ｐｈＴＥは、ＤＳＰ４７内部のトラッキング制御部３４に入力される。トラッキング制御部位３４では、ＤＳＰ４７の演算処理で実現される乗算器、加算器、遅延器（不図示）によって位相補償、低域補償、ゲイン調整がｐｈＴＥに対して行われ、出力される。トラッキング制御部３４の出力は、スイッチ３５、加算器４４を介して駆動回路４５に入力される。駆動回路４５は入力されたトラッキングエラ−信号を電流増幅し、アクチュエータ１０に入力する。これにより光ビームが正しくトラックを走査するようにトラッキング制御が実現されている。また、この駆動回路４５に入力されるトラッキングエラー信号は、フィルタ４６によって高域がカットされて粗動モータ１２用の駆動回路１３にも入力されている。これにより粗動モータ１２によって移送台１１を駆動し、移送制御を実現している。
【手続補正３】
【補正対象書類名】明細書
【補正対象項目名】００１７
【補正方法】変更
【補正の内容】
【００１７】
【課題を解決するための手段】
本発明の第１の構成は、情報の記録可能な情報担体であるＲＡＭディスク及びあらかじめ情報が記録されている再生専用の情報担体であるＲＯＭディスク上に光学的に情報の記録をするあるいは情報の再生をする光ディスク装置であって、前記情報担体に光ビームを収束照射する収束手段と、前記収束手段によって収束された光ビームの前記情報担体からの反射光あるいは、前記情報担体を透過した透過光を複数の受光部で受光する光検出手段と、前記光検出手段の受光部からの出力を演算し、前記情報担体上の光ビームスポットとトラックとの位置ずれを示すトラックずれ信号を生成するトラックずれ信号検出手段と、前記光検出手段の受光部から再生された情報に係る信号から、前記情報担体上の光ビームスポットがトラックからはずれたことを示すオフトラック信号を生成するオフトラック信号検出手段と、前記光ビームスポットをトラックを横切る方向に移動する移動手段と、前記トラックずれ信号に応じて前記移動手段を駆動し、前記光ビームスポットがトラック上を正しく走査するようにするトラッキング制御手段とを具備し、さらに前記ＲＡＭディスクにおいては、前記トラックずれ信号の振幅のみから、前記ＲＯＭディスクにおいてはオフトラック信号を参照して、トラッキング制御状態を監視し、前記トラックずれ信号の振幅若しくはオフトラック信号の発生量からトラッキング制御を一時中断する機能を有したことを特徴とするものである。
【手続補正４】
【補正対象書類名】明細書
【補正対象項目名】００１８
【補正方法】変更
【補正の内容】
【００１８】
本発明の第２の構成は、情報の記録可能な領域（ＲＡＭ領域）とあらかじめ情報が記録されている再生専用の領域（ＲＯＭ領域）によって構成された情報担体上に光学的に情報の記録をするあるいは情報の再生をする光ディスク装置であって、前記情報担体に光ビームを収束照射する収束手段と、前記収束手段によって収束された光ビームの前記情報担体からの反射光あるいは、前記情報担体を透過した透過光を複数の受光部で受光する光検出手段と、前記光検出手段の受光部からの出力を演算し、前記情報担体上の光ビームスポットとトラックとの位置ずれを示すトラックずれ信号を生成するトラックずれ信号検出手段と、前記光検出手段の受光部から再生された情報に係る信号から、前記情報担体上の光ビームスポットがトラックからはずれたことを示すオフトラック信号を生成するオフトラック信号検出手段と、前記光ビームスポットをトラックを横切る方向に移動させる移動手段と、前記トラックずれ信号に応じて前記移動手段を駆動し、前記光ビームスポットがトラック上を正しく走査するようにするトラッキング制御手段と、を備えており光ビームが前記ＲＡＭ領域内で移動する場合には、前記トラックずれ信号の振幅のみから、前記ＲＯＭ領域内で移動する場合には前記オフトラック信号を参照して、トラッキング制御状態を監視し、前記トラックずれ信号の振幅若しくはオフトラック信号の発生量からトラッキング制御を一時中断する機能を有したことを特徴とするものである。
【手続補正５】
【補正対象書類名】明細書
【補正対象項目名】００１９
【補正方法】変更
【補正の内容】
【００１９】
本発明の第３の構成は、情報の記録可能な情報担体であるＲＡＭディスク及びあらかじめ情報が記録されている再生専用の情報担体であるＲＯＭディスク上に光学的に情報の記録をするあるいは情報の再生をする光ディスク装置であって、前記情報担体に光ビームを収束照射する収束手段と、前記収束手段によって収束された光ビームの前記情報担体からの反射光あるいは、前記情報担体を透過した透過光を複数の受光部で受光する光検出手段と、前記光検出手段の分割された受光部出力を演算し、前記情報担体上の光ビームスポットとトラックとの位置ずれを示すトラックずれ信号を生成するトラックずれ信号検出手段と、前記光検出手段の分割された受光部出力から再生された情報に係る信号から、前記情報担体上の光ビームスポットがトラックからはずれたことを示すオフトラック信号を生成するオフトラック信号検出手段と、前記光ビームスポットをトラックを横切る方向に移動させる移動手段と、前記トラックずれ信号に応じて前記移動手段を駆動し、前記光ビームスポットがトラック上を正しく走査するようにするトラッキング制御手段と、を備えており、前記ＲＡＭディスクにおいては、前記トラックずれ信号の振幅のみから、前記ＲＯＭディスクにおいてはオフトラック信号を参照して、トラッキング制御状態を監視し、前記トラックずれ信号の振幅若しくはオフトラック信号の発生量からトラッキング制御を一時中断する機能を有したことを特徴とするものである。
【手続補正６】
【補正対象書類名】明細書
【補正対象項目名】００２０
【補正方法】変更
【補正の内容】
【００２０】
本発明の第４の構成は、情報の記録可能な領域（ＲＡＭ領域）とあらかじめ情報が記録されている再生専用の領域（ＲＯＭ領域）によって構成された情報担体上に光学的に情報の記録をするあるいは情報の再生をする光ディスク装置であって、前記情報担体に光ビームを収束照射する収束手段と、前記収束手段によって収束された光ビームの前記情報担体からの反射光あるいは、前記情報担体を透過した透過光を複数の受光部で受光する光検出手段と、前記光検出手段の受光部から再生された情報に係る信号の出力を演算し、前記情報担体上の光ビームスポットとトラックとの位置ずれを示すトラックずれ信号を生成するトラックずれ信号検出手段と、前記光検出手段の受光部からの出力を演算し、前記情報担体上の光ビームスポットがトラックからはずれたことを示すオフトラック信号を生成するオフトラック信号検出手段と、前記光ビームスポットをトラックを横切る方向に移動する移動手段と、前記トラックずれ信号に応じて前記移動手段を駆動し、前記光ビームスポットがトラック上を正しく走査するようにするトラッキング制御手段と、前記トラックずれ信号の振幅のみから、前記ＲＯＭ領域内で移動する場合には前記オフトラック信号を参照して、トラッキング制御状態を監視し、前記トラックずれ信号の振幅若しくはオフトラック信号の発生量からトラッキング制御を一時中断する機能を有したことを特徴とするものである。